【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
登録済みの送信先の情報である登録送信先情報を格納する記憶手段と、
送信原稿に記載された送信先の識別情報を読み取る読取手段と、
前記読取手段により読み取られた前記送信先の識別情報と、前記記憶手段に格納されている前記登録送信先情報を照合する照合手段と、
前記照合手段により、前記送信先の識別情報と合致する情報が前記登録送信先情報から検出された場合、この送信先をファクシミリ送信先として指定する指定手段と、
前記指定手段により指定された送信先へ、前記送信原稿をファクシミリ送信する送信手段と、
を備えたことを特徴とする複合機。
【請求項２】
前記指定手段により指定された送信先の情報を表示する表示手段を備えたことを特徴とする請求項１記載の複合機。
【請求項３】
前記送信原稿に記載された送信先の識別情報の記載領域の指定を受け付ける受付手段を備え、
前記読取手段は、前記受付手段により受け付けられた前記送信先の識別情報の記載領域の指定情報に基づいて、前記送信原稿に記載された送信先の識別情報を読み取ることを特徴とする請求項１または請求項２記載の複合機。
【請求項４】
前記照合手段により、前記送信先の識別情報と合致する情報が前記登録送信先情報から検出されない場合、手動による送信先指定へ切り替える切替手段を備えたことを特徴とする請求項１、請求項２または請求項３記載の複合機。
【請求項５】
前記送信原稿に記載された送信先の識別情報は、送信先のファックス番号の情報を持つバーコードまたはマークシート、あるいは送信先のファックス番号を表示した文字列であることを特徴とする請求項１、請求項２、請求項３または請求項４記載の複合機。
【請求項６】
登録済みの送信先の情報である登録送信先情報を格納する記憶手段を備えたファクシミリ装置において、
登録済みの送信先の情報である登録送信先情報を前記記憶手段に格納する第１のステップと、
送信原稿に記載された送信先の識別情報を読み取る第２のステップと、
第２のステップで読み取られた前記送信先の識別情報と、第１のステップで前記記憶手段に格納されている前記登録送信先情報を照合する第３のステップと、
第３のステップの照合により、前記送信先の識別情報と合致する情報が前記登録送信先情報から検出された場合、この送信先をファクシミリ送信先として指定する第４のステップと、
第４のステップで指定された送信先へ、前記送信原稿をファクシミリ送信する第５のステップと、を備えたことを特徴とするファクシミリ送信方法。
【請求項７】
登録済みの送信先の情報である登録送信先情報を格納する記憶手段を備えたファクシミリ装置に、
登録済みの送信先の情報である登録送信先情報を前記記憶手段に格納する格納機能と、
送信原稿に記載された送信先の識別情報を読み取る読取機能と、
前記読取機能で読み取られた前記送信先の識別情報と、格納機能で前記記憶手段に格納されている前記登録送信先情報を照合する照合機能と、
照合機能による照合により、前記送信先の識別情報と合致する情報が前記登録送信先情報から検出された場合、この送信先をファクシミリ送信先として指定する指定機能と、
指定機能で指定された送信先へ、前記送信原稿をファクシミリ送信する送信機能と、をコンピュータに実現させるためにコンピュータ読み取り可能なファクシミリ送信処理プログラムが記憶された記憶媒体。
【請求項８】
登録済みの送信先の情報である登録送信先情報を格納する記憶手段を備えたファクシミリ装置に、
登録済みの送信先の情報である登録送信先情報を前記記憶手段に格納する格納機能と、
送信原稿に記載された送信先の識別情報を読み取る読取機能と、
前記読取機能で読み取られた前記送信先の識別情報と、格納機能で前記記憶手段に格納されている前記登録送信先情報を照合する照合機能と、
照合機能による照合により、前記送信先の識別情報と合致する情報が前記登録送信先情報から検出された場合、この送信先をファクシミリ送信先として指定する指定機能と、
指定機能で指定された送信先へ、前記送信原稿をファクシミリ送信する送信機能と、を実現させるためのファクシミリ送信処理プログラム。
【手続補正２】
【補正対象書類名】明細書
【補正対象項目名】発明の名称
【補正方法】変更
【補正の内容】
【発明の名称】複合機、ファクシミリ送信方法、ファクシミリ送信処理プログラムが記憶された記憶媒体およびファクシミリ送信処理プログラム
【手続補正３】
【補正対象書類名】明細書
【補正対象項目名】０００１
【補正方法】変更
【補正の内容】
【０００１】
本発明は、原稿を走査して得た画像データを通信回線を介して送信するファクシミリ機能を備えた複合機およびファクシミリ送信方法、ファクシミリ送信処理プログラムが記憶された記憶媒体およびファクシミリ送信処理プログラムに関し、特に、送信時における手動操作によるダイヤル入力を行わないファクシミリ送信に関する。
【手続補正４】
【補正対象書類名】明細書
【補正対象項目名】０００９
【補正方法】変更
【補正の内容】
【０００９】
請求項４記載の発明では、請求項１、請求項２または請求項３記載の発明において、前記照合手段により、前記送信先の識別情報と合致する情報が前記登録送信先情報から検出されない場合、手動による送信先指定へ切り替える切替手段を備える。
請求項５記載の発明では、請求項１、請求項２、請求項３または請求項４記載の発明において、前記送信原稿に記載された送信先の識別情報を、送信先のファクシミリ番号の情報を持つバーコードまたはマークシート、あるいは送信先のファクシミリ番号を表示した文字列で構成する。
請求項６記載の発明では、登録済みの送信先の情報である登録送信先情報を格納する記憶手段を備えたファクシミリ装置にけるファクシミリ送信方法であって、登録済みの送信先の情報である登録送信先情報を前記記憶手段に格納する第１のステップと、送信原稿に記載された送信先の識別情報を読み取る第２のステップと、第２のステップで読み取られた前記送信先の識別情報と、第１のステップで前記記憶手段に格納されている前記登録送信先情報を照合する第３のステップと、第３のステップの照合により、前記送信先の識別情報と合致する情報が前記登録送信先情報から検出された場合、この送信先をファクシミリ送信先として指定する第４のステップと、第４のステップで指定された送信先へ、前記送信原稿をファクシミリ送信する第５のステップと、を備えたことにより、前記第１の目的を達成する。
請求項７記載の発明では、登録済みの送信先の情報である登録送信先情報を格納する記憶手段を備えたファクシミリ装置に、登録済みの送信先の情報である登録送信先情報を前記記憶手段に格納する格納機能と、送信原稿に記載された送信先の識別情報を読み取る読取機能と、前記読取機能で読み取られた前記送信先の識別情報と、格納機能で前記記憶手段に格納されている前記登録送信先情報を照合する照合機能と、照合機能による照合により、前記送信先の識別情報と合致する情報が前記登録送信先情報から検出された場合、この送信先をファクシミリ送信先として指定する指定機能と、指定機能で指定された送信先へ、前記送信原稿をファクシミリ送信する送信機能と、をコンピュータに実現させるためにコンピュータ読み取り可能なファクシミリ送信処理プログラムが記憶された記憶媒体により、前記第１の目的を達成する。
請求項８記載の発明では、登録済みの送信先の情報である登録送信先情報を格納する記憶手段を備えたファクシミリ装置に、登録済みの送信先の情報である登録送信先情報を前記記憶手段に格納する格納機能と、送信原稿に記載された送信先の識別情報を読み取る読取機能と、前記読取機能で読み取られた前記送信先の識別情報と、格納機能で前記記憶手段に格納されている前記登録送信先情報を照合する照合機能と、照合機能による照合により、前記送信先の識別情報と合致する情報が前記登録送信先情報から検出された場合、この送信先をファクシミリ送信先として指定する指定機能と、指定機能で指定された送信先へ、前記送信原稿をファクシミリ送信する送信機能と、を実現させるためのファクシミリ送信処理プログラムにより、前記第１の目的を達成する。
【手続補正５】
【補正対象書類名】明細書
【補正対象項目名】００１０
【補正方法】変更
【補正の内容】
【００１０】
請求項１、請求項６、請求項７および請求項８記載の発明によれば、送信先の識別情報と登録送信先情報を照合し、合致する情報が検出されたものを送信先として指定することにより、送信先を２段階で確認することができるため、適切に送信原稿の誤送信を抑制することができる。
請求項２記載の発明によれば、指定された送信先の情報を表示することにより、ユーザに対して送信先の情報を視覚的に認識させることができる。
請求項３記載の発明によれば、送信先の識別情報の記載領域の指定情報に基づいて、送信原稿に記載された送信先の識別情報の読み取りを行うことにより、容易に送信先の識別情報を検出することができるため、読み取り処理時間の短縮化を図ることができる。